Podtech/llm-jp-corpus-v4-ja_patent huggingface dataset:
(57)【要約】      （修正有）【課題】筋力の低下した要介護療養者が腰をかける姿勢を継続する場合に生じやすい坐骨と着座マットレスの接触により生じる坐骨に係わる床ずれ防止装置。【解決手段】着座位置で姿勢を変えることが困難な使用者が自らの坐骨による床ずれを起こさぬようにするために、使用するマットレス１の坐骨の対面する部分に開口２を設け、臀部の坐骨部近辺がマットレスによる圧迫や接触を受ける状況を取り除くと共に、マットレスを使用する際のいわゆる底つき感を除去するために、使用するマットレスの厚みを大きくすると共に開口２、３がマットレス下面に向かって開口面積を拡大してゆくように穿設する。その場合、厚みの大きなマットレスの加工が割高になるので、一般的な厚みのマットレスに適宜穿孔したものを複数積層して構成する。【選択図】図１
0003224515.tif 000002
【実用新案登録請求の範囲】
【請求項１】
マットレス１の上面中央に長手方向寸法概ね１５センチメートル、短手方向寸法概ね５センチメートルの長円形の上部開口２と上部開口２よりも開口面積が大であるマットレス１の下部開口３を開設し、上部開口２と下部開口３を内腔４により連結してなる坐骨に係わる床ずれ防止装置。
【請求項２】
複数のマットレス１を積層することによって得られる請求項１記載の坐骨に係わる床ずれ防止装置。
【請求項３】
マットレス１が低反発素材若しくは低反発素材と非低反発素材の組み合わせとからなる請求項１及び請求項２記載の坐骨に係わる床ずれ防止装置。
【考案の詳細な説明】
【技術分野】
【０００１】      本案は筋力の低下した要介護療養者が腰をかける姿勢を継続する場合に生じやすい、坐骨と着座マットレスの接触により生じる坐骨に係わる床ずれを防止する装置に関するものである。
【背景技術】
【０００２】      寝返りを打つことが困難な療養者あるいは高齢者が床ずれを起こすことは広く知られており、その対処方法としては穴の開いた円座や各種の筒状枕などを使用して、床ずれ部分を寝具類との接触から守る手段が講じられている。
【先行技術文献】
【特許文献】
【０００３】
【特許文献１】実用新案登録第２５３９１４９号
【特許文献２】実用新案登録第３１３９８１８号
【考案の概要】
【考案が解決しようとする課題】
【０００４】      床ずれが発生する最大の理由は、当事者が自力で体をずらしたり姿勢を変えたりすることが困難で、長時間にわたり身体の同じ個所で体重を支える事を続ける結果によるものである。特に、座位を継続した場合、殆どの療養者や高齢者は筋肉の衰えが顕著である場合が多く、坐骨と着座している座面の間に皮膚と僅かな体組織しか存在せず、坐骨の圧を直接受けてしまう皮膚はすぐに炎症を起こし、体組織の潰瘍化が発生しやすい。
【課題を解決するための手段】
【０００５】      着座位置で姿勢を変えることが困難な使用者が自らの坐骨による床ずれを起こさぬようにするために、使用するマットレスの坐骨の対面する部分に開口を設け、臀部の坐骨部近辺がマットレスによる圧迫や接触を受ける状況を取り除くと共に、マットレスを使用する際のいわゆる底付き感を除去するために、使用するマットレスの厚味を大きくすると共に開口がマットレス下面に向かって開口面積を拡大してゆくように穿設する。その場合、厚みの大きなマットレスの加工が割高になるので、一般的な厚みのマットレスに適宜穿孔したものを複数積層して本考案を構成することも任意である。
【考案の効果】
【０００６】      本考案によると、着座姿勢は維持できるが自分の筋力によりその姿勢を変更することが困難な高齢者や療養者の坐骨に起因する床ずれを大幅に軽減できる効果がある。
【図面の簡単な説明】
【０００７】
【図１】本考案の第一の実施例の斜面図である。
【図２】図１に示すものの線Ａ−Ａによる断面を含む斜面図である。
【図３】本考案第二の実施例の分解斜面図である。
【図４】本考案第一の実施例とそれを使用する使用者の位置関係を示す説明的断面図である。
【考案を実施するための形態】
【０００８】  本考案を実施する場合の一般的な構造は、図１及びず２に第一の実施例として示す如く、奥行４０センチメートル、幅５０センチメートル、厚さ２０センチメートルの合成樹脂製のマットレス１の上面に、長手方向１５センチメートルまた短手方向５センチメートルの長円形の上部開口２と上部開口２よりも開口面積が大であるマットレス１の下部開口３を開設し、上部開口２と下部開口３を内腔４により連結したものである。
【０００９】  使用者Ｂは図４に示す如く、例えば椅子Ｃの上にマットレス１を設置し、上部開口２の直上に自己の坐骨Ｓを位置させてそのまま腰を下ろせば、上部開口に連続する内腔４はマットレス１の下面に向かって拡大しているので、坐骨Ｓがなにものかに接触して発生する「底つき感」が一切生じない。
【実施例】
【００１０】  図３に示した第二の実施例は、第一の実施例のマットレス１を厚さ方向に分割して、マットレス１、マットレス１ａ、マットレス１ｂ、マットレス１ｃの四層とし、これらを積層した場合、各マットレスの開口部２は下方のマットレスほど開口部面積が広く２＞２ａ＞２ｂとなるように穿設されており、それらによって下方に広くなる内腔４・４ａ・４ｂが形成されている。
なお、図３に示した実施例には、マットレス１ｃとして開口部や内腔の無い形状の物が示されているが、これは使用者の好みに応じて決められた枚数のマットレスの最下部に設置して、マットレス全体の挙動を安定させ弾性を調整するために使用する部品である。
いずれの実施例の場合も、マットレスに使用すべき素材は低反発性合成樹脂あるいは反発性合成樹脂、もしくはこれらの混用で達成できる。【００１１】  更に、いずれの実施例においても、マットレス表面に種々の構造を設置して、使用者の体重を広い面積で受け止め体重を分散させる等の工夫の適用は任意である。
【符号の説明】
【００１２】１・・・・・マットレス
２・・・・・上部開口
３・・・・・下部開口
４・・・・・内腔
【図１】
0003224515.tif 000003
【図２】
0003224515.tif 000004
【図３】
0003224515.tif 000005
【図４】
0003224515.tif 000006
(57)【要約】      （修正有）【課題】吐出口から出た気泡が破裂し飛沫が飛ぶ事を防止する為、吐出口より気泡を外部に出さないようにする装置を提供する。【解決手段】吐出口１内にメッシュ又はスリット３を水の流出経路に塞ぐ様に設置し気泡をメッシュ又はスリットで引っ掛け吐出口内の閉鎖された空間で破裂させる。水面より上部のメッシュ又はスリット部分より空気が外部に排出され水面より下の部分で水が排出される事により連続的に気泡をメッシュ又はスリット部分に引っ掛ける事ができ、水槽内への気泡の流出を防ぐ事ができる。【選択図】図１
0003224516.tif 000002
【実用新案登録請求の範囲】
【請求項１】
気泡の発生する水面の上方を飛沫が飛散しないように遮断し、側面の一部又は全面をメッシュ又はスリットで水上から水中まで覆うことにより気泡が装置外に出ないようにした装置。
【考案の詳細な説明】
【技術分野】
【０００１】    本発明は気泡が水面にて破裂する時に飛沫が周囲に飛び散るのを防止する装置に関する。
【背景技術】
【０００２】    従来、水槽内にてエアリフトによる底面濾過装置、内部濾過装置は特開２０１６−１４６７７３の図２、図５に示すとおり水と気泡を同時に水槽内に吐出口より出している。
【先行技術文献】
【特許文献】
【０００３】
【特許文献１】特開２０１６−１４６７７３  広報
【考案の概要】
【考案が解決しようとする課題】
【０００４】    従来、吐出口より出ている気泡が水槽内で弾け飛沫を水槽の蓋や側面に飛ばし美観を損ねたり、蓋が無い場合は水槽外に飛沫が飛び水槽周りの家具や床などを濡らす事になる。【０００５】    本発明は、吐出口より出ている気泡を水槽内に出さないように新規の吐出口の構造を提供することを目的とする。
【課題を解決するための手段】
【０００６】    前記の目的を達成する為の請求項１の発明は図１に示すように吐出口内に水の流出経路を塞ぐように水面上から水中までメッシュ又はスリットで覆うことである。【０００７】    水流に流されてきた気泡はメッシュ又はスリットで引っ掛かりそこで破裂するが周囲が覆われている為、飛沫は吐出口内に納まる。【０００８】    水面から上のメッシュ又はスリットの部分から空気が排出され水面下のメッシュ又はスリットの部分より水が排出される。【０００９】    メッシュ又はスリットが一層で気泡が漏れる場合はメッシュ又はスリットを図２のように二層三層と増やす事で対応する。
【考案の効果】
【００１０】    本発明においては、飛沫による害を無くすとともに、気泡の破裂音の低減、水面の揺れの低減を行う事ができる。
【図面の簡単な説明】
【００１１】
【図１】吐出口にメッシュ又はスリットを設置した断面図と正面図
【図２】吐出口の全側面をメッシュ又はスリットにし２重に設置した断面図
【符号の説明】
【００１２】    １  吐出口
２  送水管
３  メッシュ又はスリット
【図１】
0003224516.tif 000003
【図２】
0003224516.tif 000004
(57)【要約】      （修正有）【課題】業務用加熱調理器の外縁に設けたロストルにおいて、洗浄等のメンテナンスのし易いロストルを提供する。【解決手段】左右対称に形成した一対の支持金具３を、業務用加熱調理器の前板に平行に並べ、凹み２型の内側に形成した切り欠き１に、直方体の角材４を、着脱自在にはめ込むことができる。【選択図】図１
0003224569.tif 000002
【実用新案登録請求の範囲】
【請求項１】
左右対称であり、直方体に形成した角材を斜めにはめ込める切り欠きを形成した一面をもつ凹み型の、一対の支持金具が、この切り欠きが内側に配設され、該切り欠きの窪みに、該角材が着脱自在であることを特徴とするロストル。  
【請求項２】
熱による変形を防ぐ為、支持金具の底部に当たる面に空気穴を形成していることを特徴とする請求項1記載のロストル。
【請求項３】
角材及び支持金具はステンレスで作られていることを特徴とする請求項１又は２記載のロストル。
【考案の詳細な説明】
【技術分野】
【０００１】
本考案は、主に業務用加熱調理器及び当該調理器の外縁に設けたロストルに関する。
【背景技術】
【０００２】
ステーキハウス等で使用するロストルは、肉や魚等に細かな焼き目をつけ、保温性を高める為、一体型の鋳鉄製のものが広く用いられている。
【０００３】
その為、細かい編み目状のロストルを手動或いはロストル洗浄機等で洗浄する必要があり、メンテナンス的に問題が考えられる。
【０００４】
また、鋳鉄製のロストルは錆やすく、その為のメンテナンスも必要である。
【考案の概要】
【考案が解決しようとする課題】
【０００５】
そこで、本考案は、ロストルのメンテナンスの問題点を解決して、メンテナンスのし易いロストルを提供することを課題としている。
【課題を解決するための手段】
【０００６】
本考案に係わるロストルの請求項1の考案は、左右対称であり、直方体に形成した角材を斜めにはめ込める切り欠きを形成した一面を持つ凹み型の、一対の支持金具が、この切り欠きが内側に配設され、該切り欠きの窪みに該角材が着脱自在であることを特徴とするロストル。
【０００７】
請求項２のロストルの考案は、請求項１において熱による変形を防ぐ為、支持金具の底部に当たる面に空気穴を形成していることを特徴とするものである。
【０００８】
請求項３のロストルの考案は、請求項１又は２において角材及び支持金具がステンレスで作られていることを特徴とするものである。
【考案の効果】
【０００９】
請求項1の考案は、一対の支持金具と各角棒がそれぞれ着脱自在であることを特徴としている為、容易に洗浄が可能である。
【００１０】
請求項２の考案は、請求項1の効果に加えて、熱による変形を防ぎ耐久性を維持することができる。
【００１１】
請求項３の考案は、請求項1又は請求項２の効果に加えて、ステンレス鋼の特徴である錆びにくく、強度にも優れた特性を備えている。
【図面の簡単な説明】
【００１２】
【図１】本考案のロストルの一実施の形態を示す斜視図である。
【図２】本考案のロストルが配設された、業務用加熱調理器の斜視図である。
【考案を実施するための形態】
【００１３】
この考案を実施するための一実施の形態について図を参照して説明する。図１、図２に示すように、本実施形態のロストルは、主に業務用加熱調理器１a及び該調理器1aの外縁に設けたロストルであり、業務用加熱調理器1aの前板2aに平行になるように、また、業務用加熱調理器１aの後板３aに平行になるように、左右対称に形成した支持金具３を配設する。
【００１４】
凹み型に形成した支持金具３の一辺は、直方体に形成した角棒４が斜めにはめ込める切り欠き１を形成する。
【００１５】
この時、支持金具３のうち、切り欠き１を形成した面が前板２aの内側に配設され、左右対称に形成されたもう一対の支持金具３は、必然的に切り欠き１が形成された面が内側になり、直方体の角材４を、支持金具３の窪み２に着脱自在に差し込むことができる
【符号の説明】
【００１６】
１  切り欠き    ２  窪み    ３  支持金具    ４  角材    ５  空気穴
１a 業務用加熱器    ２a 前板    ３a 後板      ４a 側板
【図１】
0003224569.tif 000003
【図２】
0003224569.tif 000004
(57)【要約】      （修正有）【課題】表地及び裏地の二層構造で、アームホールに筒袖部を縫着する上衣において、着用者が腕を上げる動きを妨げないような上衣を提供する。【解決手段】表地及び裏地の二層構造で、アームホール５に筒袖部を縫着する上衣において、アームホール５を構成する後身頃裏地３１及び細腹部裏地４１の周縁部にわたって、２方向に伸縮する伸縮性生地からなる円弧状のアームホール裏地５１を用いたことを特徴とする上衣である。【選択図】図３
0003224568.tif 000002
【実用新案登録請求の範囲】
【請求項１】
表地及び裏地の二層構造で、アームホールに筒袖部を縫着する上衣において、
アームホールの周辺部に、伸縮性生地からなるアームホール裏地を用いてなり、
アームホール裏地は、上半分がアームホールと後身頃裏地とに挟まれ、下半分が後身頃裏地と細腹部裏地とに挟まれることを特徴とする上衣。
【請求項２】
アームホール裏地は、後身頃裏地と細腹部裏地とに挟まれる下半分が下方に向けて窄まる鋭角に形成された請求項１記載の上衣。
【考案の詳細な説明】
【技術分野】
【０００１】
本考案は、着用者の腕を動かしやすくする上衣に関する。
【背景技術】
【０００２】
学生服（詰襟型、ブレザー型）やセーラー服、そして小学生の制服等の上衣は、表地及び裏地の二層構造が多く、前身頃及び後身頃（又は前身頃、後身頃及び細腹部）が形成するアームホールに筒袖部を縫着して構成される。表地及び裏地は、アームホールで縫着され、表地に追随して裏地がずれないようにされる。特許文献１が開示する上衣は、着用者が腕を上げる動きを妨げないように、アームホールを構成する裏地の後身頃の周辺部に、伸縮性生地からなるアームホール裏地が縫着されている。
【先行技術文献】
【特許文献】
【０００３】
【特許文献１】登録実用新案第３１９９７９９号公報
【考案の概要】
【考案が解決しようとする課題】
【０００４】
特許文献１が開示する上衣は、伸縮性生地からなるアームホール裏地により、着用者が腕を上げる動きが妨げられない効果をもたらす。しかし、アームホールに沿って形成されたアームホール裏地は、下半分の伸縮性が筒袖部の動きに追随して伸長することが少なく、むしろ腕を上げると、少し伸長しただけで、そのまま後身頃裏地を持ち上げてしまい、かえって腕の動きを阻害する場合のあることがわかった。そこで、腕を上げても動きの阻害されない上衣を提供するため、アームホール裏地について検討した。
【課題を解決するための手段】
【０００５】
検討の結果考案したものが、表地及び裏地の二層構造で、アームホールに筒袖部を縫着する上衣において、アームホールの周辺部に、伸縮性生地からなるアームホール裏地を用いてなり、アームホール裏地は、上半分がアームホールと後身頃裏地とに挟まれ、下半分が後身頃裏地と細腹部裏地とに挟まれることを特徴とする上衣である。細腹部裏地は、前身頃及び後身頃の間に介在する細腹部の裏地である。細腹部を用いない場合、後身頃裏地を背面及び側面に分割し、側面の後身頃裏地を細腹部裏地として用いる。
【０００６】
上半分がアームホールと後身頃とに挟まれ、下半分が後身頃と細腹部裏地とに挟まれる本考案のアームホール裏地は、上半分が筒袖部の動きに合わせて直接伸縮し、下半分が筒袖部の動きに合わせて動く細腹部裏地を介して伸縮することにより、腕の動きを妨げない。アームホール裏地は、後身頃裏地と細腹部裏地とに挟まれる下半分が下方に向けて窄まる鋭角に形成されると、後身頃及び細腹部がアームホール裏地を挟む部分と後身頃裏地及び細腹部裏地とが直接縫合される部分との切り替わりが滑らかとなり、アームホール裏地の伸縮を妨げずに済む。
【考案の効果】
【０００７】
本考案の上衣は、腕の動きを妨げないことで着用者の腕を動かしやすくする。これは、アームホールを構成する裏地の後身頃の周辺部に用いたアームホール裏地の上半分がアームホールと後身頃とに挟まれ、下半分が後身頃と細腹部裏地とに挟まれる構成であることによる効果である。また、後身頃裏地と細腹部裏地とに挟まれる下半分が下方に向けて窄まる鋭角に形成されるアームホール裏地は、アームホール裏地の下端から後身頃裏地及び細腹部裏地を無理なく縫合し、伸縮が妨げられないので、着用者の腕を動かしやすくする。
【図面の簡単な説明】
【０００８】
【図１】本発明を適用した学生服の一例における正面図である。
【図２】本例の学生服の背面図である。
【図３】本例の学生服の裏地の一部を表す正面図である。
【考案を実施するための形態】
【０００９】
以下、本考案を実施するための形態について図を参照しながら説明する。本考案は、例えば図１及び図２に見られるように、ブレザー型の学生服に適用される。本例の学生服は、前身頃２、後身頃３及び細腹部４の周縁部で形成されるアームホール５に筒袖部１を縫着して構成される（図１及び図２は表地のみを図示）。本考案の上衣は、アームホール５の周辺部に、上下方向及び左右方向に伸縮する伸縮性生地からなるアームホール裏地５１を用いている。本例のアームホール裏地は、通気性を備えたメッシュ生地である。
【００１０】
前身頃裏地２１、後身頃裏地３１及び細腹部裏地４１は、従来同様、左右方向に伸縮する伸縮性生地から構成される。本考案の裏地は、前身頃裏地２１、後身頃裏地３１及び細腹部裏地４１に加えて、図３に見られるように、上半分がアームホール５と後身頃裏地３１とに挟まれ、下半分が後身頃裏地３１と細腹部裏地４１とに挟まれる細幅のアームホール裏地５１を用いる。アームホール裏地５１は、後身頃裏地３１におけるアームホール５の周縁部を一部取り除き、後身頃裏地３１と細腹部裏地４１とに挟まれて用いられる。
【００１１】
本例のアームホール裏地５１は、一定幅で上下方向に延びる短冊状で、下方に向けて窄んだ鋭角な下端を有する伸縮性生地である。これにより、アームホール裏地５１は、例えばアームホール５の後方を引っ張って筒袖部１を前方に向ける腕の動きに際し、伸長して腕の動きを妨げない。同様に、アームホール裏地５１は、例えばアームホール５の下方を引っ張って筒袖部１を上方に向ける腕の動きに際し、筒袖部１に引っ張られる細腹部裏地４１を介して伸長し、腕の動きを妨げない。こうして、本考案の上衣は、腕の動きが妨げられない効果を得る。
【符号の説明】
【００１２】
１  筒袖部
２  前身頃
２１  前身頃裏地
３  後身頃
３１  後身頃裏地
４  細腹部
４１  細腹部裏地
５  アームホール
５１  アームホール裏地
【図１】
0003224568.tif 000003
【図２】
0003224568.tif 000004
【図３】
0003224568.tif 000005
(57)【要約】      （修正有）【課題】釣り具に用いる、ミノールアーを提供する。【解決手段】ボデイアイとテイルアイを有するルア−においてルア−本体１とボデイアイ又はテイルアイとの間に集魚効果のあるものを装着する部分を設けた。【選択図】図１
0003224184.tif 000002
【実用新案登録請求の範囲】
【請求項１】
釣り具、ルアー（疑似餌）
【考案の詳細な説明】
【技術分野】
【０００１】本考案は、釣り具に用いる。ミノ−ルア−（ソフト、ハ−ドルア−。シンキング、フロ−ティングのプラグ系）に関する。
【背景技術】
【０００２】従来のルアーの、ミノ−のボディフックアイは（釣り針を取り付けるための部位の名称）どれも形状が同じで機能もフック交換の一部分でしかなく、改良されることはほぼ皆無であった。
集魚効果も、ミノ−本体には施されていても、フックアイにはされていないのが現状である。
【先行技術文献】
【０００３】
【特許文献１】
【非特許文献】
【０００４】
【非特許文献１】９３年、Ｐ，１８
【考案の概要】
【考案が解決しようとする課題】
【０００５】  ルア−釣りでは、フック（釣り針）交換は、欠かせない作業である、特に釣り場でのフック交換は、視力が弱い人、年配の方には、わずらわしく、釣り人口が増えるにつれルア−の種類も増え、魚もルア−の色彩を認識しており釣果は低下の傾向にある。
本考案はこのような課題を解消するためになされたものである。
【問題を解決するための手段】
【０００６】本考案は、以上の様な、不便さを解消する事により、無駄な時間を省くことで、より魚釣りを楽しむ期待が持てる。
フックアイを改良した所に集魚効果のあるものを装着する事により今まで以上の釣果が期待出来る。
フックアイをボディから離す事により、魚のフッキング効率を上げることが可能になる。
集魚効果のあるものとは、［蛍光塗料、アワビシール、貝破片、ホログラムシール、金属破片、ラメパウダー、パール顔料、着色糸、夜行パイプ］
【考案の効果】
【００７】ルアー、ミノーのボディの、フックアイ、テールフックアイの間隔をあける事で特に小さなルアーフックの交換がしやすくなり、間隔をあけた箇所に集魚効果のあるものをあしらうことが可能になる。ボディとフックを離す事で魚が掛る率を高める事が期待出来る。ルアーミノー本来の動きも損なうことなく、また視力の弱い人、年配の方に貢献出来る。
【図面の簡単な説明】
【００８】
【図１】ミノ−のボディからフックアイを形成した側面図
【図２】ミノーの下部から見た平面図。
【図３】ミノ−のボディ−からフックアイを形成した側面の断面図
【考案を実施する為の形態】
【００９】（１）ルア−本体
（２）ルアーのボディ本体に装着するステンレス線をボディーアイ、テールアイにミノー本体よりも（２ｍｍ以上）の間隔をあけて形成する。
（３）間隔をあけた部分に、集魚効果のあるものを装飾する。
（４）ボディとアイの距離間隔を調整することで、多様な集魚効果のあるものを選択できる。
（５）集魚効果のあるものの装着方法は、（糸での巻つけ、接着材、塗料でのコーティング、ハンダ付け、ＵＶコート）
（６）ミノ−のフック交換は、ボデイアイ、テ−ルアイの、穴に、スプリットプライヤ―を用いて、スプリットリングをつなぎとしてフックを装着する。
【００１０】
【実施例】
【００１１】
【００１２】
【００１３】
【図１】
0003224184.tif 000003
【図２】
0003224184.tif 000004
【図３】
0003224184.tif 000005
【手続補正書】
【提出日】令和1年9月11日(2019.9.11)
【手続補正１】
【補正対象書類名】実用新案登録請求の範囲
【補正対象項目名】全文
【補正方法】変更
【補正の内容】
【実用新案登録請求の範囲】
【請求項１】
ボデイアイとテイルアイを有するルア−においてルア−本体とボデイアイ又はテイルアイとの間に集魚効果のあるものを装着する部分を設けたことを特徴とするルア−。
(57)【要約】      （修正有）【課題】長い洗濯機の糸くずとり具を提供する。【解決手段】網袋の開口部に、水中に沈まない為の空気袋を取り付け、尚且つ、網袋の上端部（開口部）と下端部の間の長さが、約２０センチである。【選択図】図１
0003224188.tif 000002
【実用新案登録請求の範囲】
【請求項１】
長さ、約２０センチの、洗濯機の糸くずとり具。
【考案の詳細な説明】
【技術分野】
【０００１】  この考案は、長い洗濯機の糸くずとり具に関するものである。
【背景技術】
【０００２】  従来、洗濯機の糸くずとり具は、その名の通り、洗濯機の糸くずを取る装置であるが、今一つ、細かい糸くずを取り切れないでいた。
【考案の概要】
【考案が解決しようとする課題】
【０００３】  これは、次のような欠点があった。
従来、洗濯用の糸くずとり機は、その名の通り、洗濯用の糸くずを取る装置であるが、今一つ、細かい糸くずを取り切れないでいた。それは、上の水流は、勢い良く回っているが、底の方では、水流が滞留しているからである。
本考案は、以上のような欠点をなくすためになされたものである。
【課題を解決するための手段】
【０００４】  ５０リットルの洗濯機である場合、長さ、約２０センチである、長い洗濯機の糸くずとり具を設ける。
本考案は、以上の構成よりなる、長い洗濯機の糸くずとり具である。
【考案の効果】
【０００５】  洗濯機の上の方の、勢い良く回っている水流だけで無く、底の方の水流も攪拌（かくはん）され、万遍なく、糸くずを取り除く事が出来る。洗濯機の下の水流が滞留する事なく、全部、循環する。
【図面の簡単な説明】
【０００６】
【図１】  長い洗濯機の糸くずとり具の正面図である。
【図２】  従来の洗濯機の糸くずとり具の正面図である。
【図３】  長い洗濯機の糸くずとり具を入れた洗濯機の断面図である。
【図４】  従来の洗濯機の糸くずとり具を入れた洗濯機の断面図である。
【考案を実施するための形態】
【０００７】  以下、本考案を実施するための形態について説明する。
５０リットルの洗濯機である場合、長さ、約２０センチである、長い洗濯機の糸くずとり具を設ける。
本考案は、以上のような構成である、長い洗濯機の糸くずとり具である。
【符号の説明】
【０００８】  １  長い洗濯機の糸くずとり具
２  従来の洗濯機の糸くずとり具
３  長い洗濯機の糸くずとり具を入れた洗濯機
４  従来の洗濯機の糸くずとり具を入れた洗濯機
【図１】
0003224188.tif 000003
【図２】
0003224188.tif 000004
【図３】
0003224188.tif 000005
【図４】
0003224188.tif 000006
【手続補正書】
【提出日】令和1年9月9日(2019.9.9)
【手続補正１】
【補正対象書類名】実用新案登録請求の範囲
【補正対象項目名】全文
【補正方法】変更
【補正の内容】
【実用新案登録請求の範囲】
【請求項１】
網袋の開口部に、水中に沈まない為の空気袋を取り付け、尚且つ、網袋の上端部（開口部）と下端部の間の長さが、約２０センチである、長い洗濯機の糸くずとり具。
(57)【要約】      （修正有）【課題】古紙そのままの素材を活かし、原材料である植物に近い関係の植木鉢として生活に戻し紙のインテリアとして再活用した植木鉢を提供する。【解決手段】ゴミとして出ている雑誌などの古紙、または印刷による廃紙を収集し、それを積載し型抜きする１、３。それを植物を植えるため中面をくり抜き、水漏れ、型崩れ防止の為に糊付けをする２。そしてさらに、底の土台部分４はある程度の水やりでもモレないように厚く盛って、上部と糸で接合した。１年耐久テストをした結果、日々の水やり程度であれば本体が水を吸収するので漏れることなく形状も崩れず、経年劣化による自然な紙のゆらぎが現れ、植物と同様に時が立つにつれ様々な表情が楽しめる。【選択図】図１
0003224183.tif 000002
【実用新案登録請求の範囲】
【請求項１】
紙（雑誌などの古紙、または印刷による廃紙）を収集し積載し、中心をくり抜き、内側にノリを貼って固めた容器または植木鉢。
【考案の詳細な説明】
【技術分野】
【０００１】本考案は、紙（雑誌などの古紙、または印刷による廃紙）を収集し積載し、中心をくり抜き、内側にノリを貼って固めた容器または植木鉢
関するものである。
【背景技術】
【０００２】読み終わった雑誌や印刷で出るやれ紙（廃紙）は再利用するために収取されるかゴミとして償却されていた。
【特許文献】
【０００３】
【特許文献１】再表００／０２４２４０
【非特許文献】
【０００４】
【非特許文献１】ｈｔｔｐｓ：／／ｄｉｙｅｒｓ．ｃｏ．ｊｐ／ａｒｔｉｃｌｅｓ／ｂｏｏｋｐｌａｎｔｅｒ＿ｇ
【考案の概要】
【考案が解決しようとする課題】
【０００５】印刷で出たゴミを印刷技術を使い再処理場を通さずそのままの状態で生活の中に戻したい
普段の仕事や仕事で、不要となった紙をよく見ます。例えば、読み終えた雑誌、印刷で出た排紙などそんな役割を終えた紙を再処理し形を変え利用するのではなく、古紙そのままの素材を活かし、原材料である植物に近い関係のものとしてこの紙に再び命を与えたいと考えました。
【課題を解決するための手段】
【０００６】ゴミとして出ている紙（雑誌などの古紙、または印刷による廃紙）を収集し、古紙の風合いを残したまま積載し、表面、中面をカットし、内側にノリを貼って固め植物を植えれる形状にする
【考案の効果】
【０００７】植物を育てるのと同じように鉢も育てる。
植木、観葉植物という人工的な自然物を紙という人工的な自然物を使用し飾る。そして、そのまま自然に帰るものに。時が経つにつれて、鉢の表面に自然な紙のゆらぎが現れ様々な表情を楽しめる。本案は積載された紙を切り抜き、糊づけのみの為、役目を終えた時に生分解し土に帰る構造である。植物と同様に日々の変化を楽しめます。古紙、廃紙の新しい利用価値、可能性を提案したい。
【図面の簡単な説明】
【０００８】
【図１】紙でできた植木鉢の正面、天面図である
【図２】紙でできた植木鉢をサンプル制作し、植物を植え１年間耐久テストをした際の写真である
【考案を実施するための形態】
【０００９】  古紙の風合いを残したまま積載し、表面、中面をカットし、内側にノリを貼って固め植物を植えれる形状
【実施例】
【００１０】１：収集した古紙を積載した本体
２：植物を植えるために印刷の型抜きの技術でくり抜き、水漏れ、型崩れ防止の為に糊付けした中面
３：印刷の型抜きの技術で丸く、またはしずく型にカット
４：土台になる部分（２の穴が空いていない）
ある程度の水やりがモレないように厚く盛っていて、上部と糸で接合
１年耐久テストをした結果、日々の水やり程度であれば本体が水を吸収するので漏れず形状も崩れず、そもそもの狙いであった経年劣化による自然な紙のゆらぎが現れ植物と同様に時が立つにつれ様々な表情が現れ楽しめた。
【符号の説明】
【００１１】１：紙の植木鉢本体
２：植物を植える穴
３：外形
４：水止する土台
【図１】
0003224183.tif 000003
【図２】
0003224183.tif 000004
【手続補正書】
【提出日】令和1年9月19日(2019.9.19)
【手続補正１】
【補正対象書類名】実用新案登録請求の範囲
【補正対象項目名】全文
【補正方法】変更
【補正の内容】
【実用新案登録請求の範囲】
【請求項１】
紙（雑誌などの古紙、または印刷による廃紙）を収集、型抜き積載し、中心もくり抜き、内側にノリを貼って固め、底面を閉じた筒状形状を有する植木鉢。
(57)【要約】      （修正有）【課題】体育館・練習場で卓球のボールが飛散するのを止める仕切り板を提供する。【解決手段】卓球のボールが飛散するのを止める仕切り板であって、鉄丸棒で造られた四角形の枠を、所定寸法の仕切り板の上部に設けられた樹脂管で束ねることによって、仕切り板を枠によって二股で吊り下げる。【選択図】図１
0003224190.tif 000002
【実用新案登録請求の範囲】
【請求項１】
体育館・練習場で卓球のボールが飛散するのを止める仕切り板です。特徴は仕切り板を二股で吊り支えるもので、支える方式は鉄丸棒で四角形の枠を２ッ造り、その２ッの上部を樹脂管で束ね、樹脂管部分より所定寸法の仕切り板を吊り下げ、飛散ボール止めを機能させるものです。使用後の収納も軽量で取り扱いが簡易です。
【考案の詳細な説明】
【技術分野】
【０００１】  本考案は、卓球ボール飛散仕切り板を二股吊り下げ方式としたものである。
【背景技術】
【０００２】現状多く利用されている「卓球ボール飛散を防ぐ仕切り板」の立脚はガタついているもが多い。改善をしたい。
【考案の概要】
【考案が解決しようとする課題】
【０００３】  現状多く使用されている、卓球ボール飛散を防ぐ仕切り板は、板を立脚させる方式は板の下部にクロス棒等の足により立脚させているもがほとんどである。簡単な構造でもありガタつき、板が垂直に立たない、また仕切り板を使用後格納するとき前述のクロスした足のため、使用後格納しずらい、又、比較的重いので軽量化したい。
【課題を解決するための手段】  卓球ボール飛散を防ぐ仕切り板をどう垂直に保持するかであるが、本案鉄等の丸棒で四角形の枠を２ッ造り、その２ツの上部を樹脂管等で束ね二股を造り、樹脂管部分より所定寸法の仕切り板を吊り下げることにより垂直が保たれる。また、前述の二股は使用するときは所定の角度で立脚し、使用後は二股を閉じるだけの構造のため、格納がすっきりする。
【考案の効果】  卓球ボール飛散を防ぐ仕切板の垂直保持が保たれるため飛散を防ぐ機能がアップ、格納のしやすさ、総本体の軽量化も図れる。
【図面の簡単な説明】
【図１】  本考案、卓球ボール飛散の仕切板の実施例を示す正面図と側面図である。
【考案を実施するための形態】
考案のものは、主に体育館で使用される。当日は卓球台を並べて練習や試合が行われるが、その卓球台と卓球台の間には双方より飛んでくる卓球ボールの飛散を防ぐ仕切板が必要となる。
【産業上の利用可能性】災害時、体育館を避難所に使う時など避難者のプライベートを守るために仕切板が使える等。
【図１】
0003224190.tif 000003
【手続補正書】
【提出日】令和1年9月13日(2019.9.13)
【手続補正１】
【補正対象書類名】実用新案登録請求の範囲
【補正対象項目名】全文
【補正方法】変更
【補正の内容】
【実用新案登録請求の範囲】
【請求項１】
体育館・練習場で卓球のボールが飛散するのを止める仕切り板であって、鉄丸棒で造られた四角形の枠を、所定寸法の仕切り板の上部に設けられた樹脂管で束ねることによって、前記仕切り板を前記枠によって二股で吊り下げることを特徴とした卓球ボールの飛散防止仕切り板。
(57)【要約】      （修正有）【課題】清掃が終了したことの証として、または新しいトイレットペーパーを設置したことの表意として、トイレットペーパー先端部分へ施されていた三角形状の折込み作業の解消を行うトイレットペーパーの引き出し補助紙を提供する。【解決手段】長方形の水溶性の紙または、同様の性質を持つ素材へ、貼り付け及び剥がしが可能な糊を短辺一方片面端所部分へ塗布し、複数枚を重ねた形状に形成し、塗布していない部分へは、つまみ易い形に成形加工した。【選択図】図２
0003224187.tif 000002
【実用新案登録請求の範囲】
【請求項１】
長方形の水溶性の紙または、同様の性質を持つ素材へ、貼り付け及び剥がしが可能な糊を短辺一方片面端所部分へ塗布し、複数枚を重ねた形状に形成（付箋形状と相似）し、塗布していない部分へは、つまみ易い形状（代表例は三角形）に成形加工した、トイレットペーパーの引き出し補助紙を提供する。
【考案の詳細な説明】
【技術分野】
【０００１】  本考案は、水溶性の紙または、同様の性質を持つ素材を用いてトイレットペーパーの引き出しを補助する用紙に関するものである。
【背景技術】
【０００２】  多くの公共施設や宿泊施設または、大人数の利用がなされるトイレにおいては、その清掃業務が終了したことの証として、またあるいは新しくトイレットペーパーを設置したことの表意として、トイレットペーパーの先端部分を三角形状に折込みを施し、引き出しが容易にすることがなされます。
【先行技術文献】
【実用新案文献】
実登３２００１８７
【０００３】  トイレットペーパー先端部分への折曲げを、トイレットペーパーホルダーへの機構の取り付け及び加工で考案されたものですが、部品数の多さに加えホルダーへの複雑な加工を必要とし、メンテナンスや対費用効果において疑問が残る考案と考えます。
【特許文献】特開平１０−２９５５８３
【０００４】  トイレットペーパーホルダー上部カバー端部へ、ペーパーナイフを取り付け引き出す際にペーパー端部を三角形状に残す機構が考案提供されていますが、安全性の解決に疑問が残ると考えます。
【特許文献】特開平１０−２９０７７６
【０００５】  トイレットペーパーホルダーの上部カバー中央へ、鋭利な三角形の金具を設置し、トイレットペーパーをカット使用した際に、三角形の形状がペーパー中央先端部分に残る考案の提供となっていますが、部品の交換や安全性の解決に疑問が残ると考えます。
【考案の概要】
【考案が解決しようとする課題】
【０００６】  多数量のトイレットペーパー先端部分への三角形状の折込み形成へは、少なからずとも作業時間を要し、加えて個人差による折込み形状の違いが生じる要因となっていました。
【課題を解決するための手段】
【０００７】  本考案は、水溶性の紙または、同様の性質を持つ素材を用いることで、水に流せる条件を解決し、貼り付け及び剥がしが可能な糊を素材の一部分へ塗布、そして複数枚を重ねた形状に形成（付箋形状と相似）更に塗布していない部分へは、つまみ易い形状（一般的には三角形に形成加工）に形成することにより、持ち運びと取り扱い及び設置の軽減を図った、トイレットペーパー引き出し補助用紙を提供する。
【考案の効果】
【０００８】  本考案は、水溶性の紙または、同性質を持つ素材を用いることで被貼付母体のトイレットペーパー紙と一緒に流せること、また貼り付けと剥離が容易な糊を塗布し、数枚を重ねた形状（付箋形状に相以）に形成することで、持ち運びと取り扱いを容易にしたこと、更に糊が塗布されていない部分をつまみ易い形状に形成することにより、トイレットペーパーへの三角形状の折込み（折り曲げ）作業を無くし、作業時間の短縮と個人差による折込み形状の相違という問題点を解消しています。
【図面の簡単な説明】
【０００９】
【図１】水溶性の紙または、同性質の素材を束ねた図  記号ａ〜貼り付けと剥がしができる糊を塗布する範囲
【図２】糊が塗布されていない一方を三角形状にカットした図
【図３】使用後のトイレットペーパーの端部へ貼り付けた図
【図４】トイレットペーパーホルダーカバーを下げた状態図
【考案を実施するための形態】
【０００１０】  概ね横７Ｃｍ・縦１０Ｃｍ程度の長方形に断裁された水溶性用紙の短辺一方片面へ、貼り付けと剥がしが可能な糊を、短辺一方の片面に概ね、１Ｃｍ幅程度で塗布し、複数枚（５０枚程度が取り扱いが容易と思われる）を重ねた形状（付箋形状に相似）に形成する。
【０００１１】  重ねられた長方形状の糊が塗布されていない短辺を、概ね高さ４Ｃｍ程度の二等辺三角形状へ断裁加工する。尚、摘み部分の三角形状カットは一般的な加工形状であり、半円や矩形、またそれらを組み合わせた形状であっても問題ないと考えます。
【実施例】
【０００１２】  以下添付図面に基づき説明します。［図１］片方が三角形状に加工形成された水溶性紙の束の最上部１枚をつまみ剥がし、トイレットペーパーへ貼り付けます。トイレットペーパーへの貼り付けは、カットされたトイレットペーパーのカットラインから数センチ上部でよく、正確な位置や精度は必要としません。【００１３】［図２］添付されたトイレットペーパーのホルダーカバーを降ろし、三角形の部分がホルダーカバーから見える程度に、トイレットペーパーの位置を調整することで作業が完結します。
【符号の説明】１・水溶性の紙
２・トイレットペーパー
３・トイレットペーパーホルダー上部カバー
４・トイレットペーパー裁断部分
ａ・貼り付けと剥がしができる糊を塗布する部分
【図１】
0003224187.tif 000003
【図２】
0003224187.tif 000004
【図３】
0003224187.tif 000005
【図４】
0003224187.tif 000006
【手続補正書】
【提出日】令和1年9月12日(2019.9.12)
【手続補正１】
【補正対象書類名】実用新案登録請求の範囲
【補正対象項目名】全文
【補正方法】変更
【補正の内容】
【実用新案登録請求の範囲】
【請求項１】
長方形の水溶性の紙または、同様の性質を持つ素材へ、貼り付け及び剥がしが可能な糊を短辺一方片面端所部分へ塗布し、複数枚を重ねた形状に形成し、塗布していない部分へは、つまみ易い形に成形加工した、トイレットペーパーの引き出し補助紙。
(57)【要約】      （修正有）【課題】容易に更衣可能であり、睡眠時にも着用でき、ブラジャーの代用となる衣類を提供する。【解決手段】衣類１は、本体１０の内側にバストパットを挿入するポケット２０を有し、胸を覆い隠す本体１０と、本体１０のアームホールに取り付けられた袖１２と、を備える。【選択図】図１
0003224127.tif 000002
【実用新案登録請求の範囲】
【請求項１】
本体の内側にバストパットを挿入するポケットを有し、胸を覆い隠す本体と、本体のアームホールに取り付けられた袖と、を備える衣類。
【請求項２】
本体のアームホール及び袖の内径が、左右で異なる請求項1に記載の衣類。
【考案の詳細な説明】
【技術分野】
【０００１】
本考案は衣類に関する。
【背景技術】
【０００２】
乳癌患者で乳房全摘者は手術後シリコン製の人工乳房を専用ブラジャーの中に挿入して保形している。外出時は左右の違いが目立たぬように専用のブラジャーの中にシリコン製の人工乳房（重さは片側約300ｇ〜1000ｇ）を使用しているが、家庭にいる時や高齢者，体調の悪い時など、シリコン製の人工乳房と専用ブラジャーの組み合わせではくつろぐ事が出来ないと思われる。
【考案の概要】
【考案が解決しようとする課題】
【０００３】
本考案は乳房全摘者において乳房の左右の違いが目立たずかつ、くつろぐことが可能な衣類を提供すること。
【課題を解決するための手段】
【０００４】
衣類は、本体の内側にバストパットを挿入するポケットを有し、胸を覆い隠す本体と、本体に取り付けられた袖と、を備え、また、衣類は本体のアームホール及び袖の内径が左右で異なる。
【考案の効果】
【０００５】
本考案によれば、乳房全摘者において乳房の左右の違いが目立たずかつ、くつろぐことが可能な衣類を提供することが出来る。
【図面の簡単な説明】
【０００６】
【図１】実施例の衣類の前面図。
【図２】腕の太さの異なる実施例の衣類の前面図。
【考案を実施するための形態】
【０００７】
衣類１は、本体10の内側にバストパットを挿入するポケット20を有し、胸を覆い隠す本体10と、本体10のアームホール10aに取り付けられた袖12と、を備え、本体10は、前後の一方が開閉可能である。本体10のアームホール10a及び袖12の内径が左右で異なる。ポケット20は本体10の内側で、腋下よりも高い位置にポケット口20-1が有り、ポケット20の底は乳房の直下まで有る。
【０００８】
衣類1は綿のストレッチ素材であるが、素材は、綿、絹、毛織物、麻、ポリエステル、ナイロン等の化学繊維、紙製品、ビニール，レース、革等何でもよい。
【０００９】
開端部の係止は実施例ではホックですが面ファスナー・ファスナー・リボン・紐・釦とボタン穴など係止具は何でもよい。
【００１０】
開閉は前でも後でも無くても良い。
【００１１】
実施例では本体10の着丈は乳房の直下までであるが着丈は任意でよい。
【００１２】
実施例では本体10の袖12の袖丈は長袖であるが、袖丈は任意で長袖・半そで・フレンチスリーブ又は無くても良い。
【００１３】
本体10の前身頃11は実施例では着用した状態で、首回りがＶ字形状であるが、素材、デザインにより丸首・U首・襟付きなど何でもよい。
【００１４】
（1）開閉可能とすることで、乳癌で全摘した胸部を覆い隠す手段として腕が上がりにくくても簡便に着脱が可能である。
（2）袖12が付いていることにより高齢者や病中でも肌着とブラジャーを兼ねて1着で良iい。
（3）ブラジャーの代用として締め付けが無く、傷口も圧迫しない。
（4）ポケットの中に紙製の授乳用パットを入れると肩の凝りが軽減する。
（5）体調不良時や家庭でくつろいでいるときに窮屈なブラジャーを付けることなく、不意の来客にもあわてずにすむ。
（6）乳房直下の切り替部分にあるゴムで軽い紙製パットだけでも胸の形が保形されることにより、羞恥心が緩和されて安心感が得られる。
(7)介護が必要な高齢者の寝返りのたび移動する乳房を固定出来る。
(8)別の実施例によれば乳癌全適時にリンパ節までを取ったために浮腫が生じ、リンパの流れが滞っているために左右の腕の太さが違う状態の人でも容易に更衣可能である。
【符号の説明】
【００１５】
1     衣類
10    本体
10a   アームホール
11    前身頃
12    袖
20    ポケット
30    下端部
【図１】
0003224127.tif 000003
【図２】
0003224127.tif 000004
(57)【要約】      （修正有）【課題】スーツ（上着）、ズボンを脱ぐ順に掛け、着る順に外すことが出来るハンガーを提供する。【解決手段】ズボンハンガー部分に開口部５を設ける事により、スーツ（上着）のかかっている状態で、ズボン掛け部分２がスーツ（上着）の前面、手前にくるようにする。脱着順にスーツ（上着）とズボンを掛ける事がスムースになる。【選択図】図１
0003224123.tif 000002
【実用新案登録請求の範囲】
【請求項１】
スーツ等の上下揃いの衣類においてズボン等の下半身着用衣類の整理作業性を向上させるためにズボンハンガー部分に開口部を設け、ズボンハンガー部分が掛けたスーツ（上着）の手前に出る、吊り下げフックが付けられたハンガー。
【請求項２】
前記、ズボンを掛ける開口部の末端はズボンの落下防止の為、反り返り加工がされたハンガー。
【請求項３】
通常の三角形のハンガーの形状とは異なる「Ｚ」型のハンガー。
【考案の詳細な説明】
【技術分野】
【０００１】本考案は、スーツ（上着）を掛けたままの状態でもズボンの出し入れが容易にできるハンガーを提供しようとするものである。
【背景技術】
【０００２】着替える場合、先ずスーツ（上着）を脱ぎハンガーに掛け、
次にズボンを脱ぐと、スーツ（上着）をかき分けて、ズボンを掛けなければならなかった。
通常はズボン掛け部分が、掛けたスーツ（上着）の内側に隠れてしまうため、ズボンを掛けた後にスーツ（上着）を掛ける必要があった。
又はハンガーを２つ利用してスーツ（上着）とズボンを別々に掛ける必要があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】脱着の順序に逆行した収納方式はストレスも溜まり、時間的ロスも伴う。
またハンガーを２つ利用することにより収納スペースの無駄にもなる。
その為、１つのハンガーでスーツ（上着）を掛けたままの状態でもズボンを容易に取り出し、また掛ける事が出来るハンガーにすることを課題とした。
【課題を解決するための手段】
【０００６】本考案はズボンハンガー部分に開口部を設ける事により、スーツ（上着）のかかっている状態で、ズボン掛け部分がスーツ（上着）の前面、手前にくるようにすること。
脱着順にスーツ（上着）とズボンを掛ける事がスムースになり、ストレス、時間、スペースの課題を解決している。
【考案の効果】
【０００７】上述のように本考案ではズボン掛け部分が、ハンガーに掛けたスーツ（上着）より前面、手前に出ているためスーツ（上着）をめくらずにズボンを掛ける事が可能になる。また、着用のときにもスーツ（上着）をめくらずに、先にズボンを取り出すことができる。
ハンガーを２つ利用してスーツ（上着）とズボンを分けて掛けるよりも収納スペースの有効利用となる。
【図面の簡単な説明】
【０００８】
【図１】本考案のハンガーの斜面図
【図２】使用例を示す図
【考案を実施するための形態】
【０００９】スーツ（上着）を掛ける時は、スーツ（上着）のフロント、返り止まりをズボン掛け部分の内側にくるように掛ける。そのことによりズボンを掛ける事が容易になる。
【実施例】
【００１０】添付図面の様にスーツ（上着）、ズボンをそれぞれ脱着順に、掛けていき、また外していく方式である。
【産業上の利用可能性】
【・・・・】
【符号の説明】
【００１１】１  ハンガー本体
２  ハンガーズボン掛け部分
３  フック
４  反り返り
５  開口部
６  スーツ「返り襟」
７  スーツ「返り止まり」
８  スーツ「フロント」
【図１】
0003224123.tif 000003
【図２】
0003224123.tif 000004
(57)【要約】      （修正有）【課題】地震等の揺れや衝撃が発生した際においてもラック上の載置物品の落下が防止できる載置物品の滑り止め具を提供する。とくに、ラックに安定した状態に取り付けられる載置物品の滑り止め具を提供する。【解決手段】全体がゴム製で、上面部２と上面部２の一方の側縁から下方に連続一体に延び出す側面部３とからなり、ラックの断面Ｌ字型の枠材に装着使用され、上面部２に載置物品の滑りを防止する複数の突条７が並設され、上面部２の側縁と側面部３の下縁に沿って、枠材の縁部が篏合係止される係止溝部９、１１のそれぞれ設けられてなる。【選択図】図１
0003224125.tif 000002
【実用新案登録請求の範囲】
【請求項１】
全体がゴム製で、上面部と前記上面部の一方の側縁から下方に連続一体に延び出す側面部とからなり、
前記上面部に載置物品の滑りを防止する複数の突条が並設され、ラックの断面Ｌ字型の枠材に装着使用されることを特徴とする載置物品の滑り止め具。
【請求項２】
前記上面部の側縁と前記側面部の下縁とに沿って、前記枠材の両端縁部それぞれが篏合係止される係止溝部のそれぞれが設けられてなることを特徴とする請求項１載置の載置物品の滑り止め具。
【請求項３】
前記上面部と前記側面部との開き角度が９０度より小さくなっている請求項１または２記載の載置物品の滑り止め具。
【考案の詳細な説明】
【技術分野】
【０００１】  この考案は、倉庫等のラック（棚）において使用される載置物品の滑り止め具に関する。
【背景技術】
【０００２】  例えば、倉庫内においてラック上に種々の物品がパレットを介して載置収納されているが、揺れの大きい地震が発生してラックが揺れたり傾いたりするとパレットが滑って位置ずれし、そこに載置された物品が落下する問題が発生する。
【考案の概念】
【考案が解決しようとする課題】
【０００３】  この考案は上記の事情に鑑みて行ったもので、地震等の揺れや衝撃が発生した際においてもラック上の載置物品の落下が防止できる載置物品の滑り止め具を提供する。とくに、ラック等に安定した状態に取り付けられる載置物品の滑り止め具を提供する。
【課題の解決手段】
【０００４】  この考案では、全体がゴム製で、上面部と前記上面部の一方の側縁から下方に連続一体に延び出す側面部とからなり、上面部に載置物品の滑りを防止する複数の突条が並設され、ラックの断面Ｌ字型の枠材に装着使用されることを特徴とする載置物品の滑り止め具を提供する。
【０００５】  上記構成の滑り止め具がラックの断面Ｌ字型の枠材に装着使用されることで、滑り止め具それぞれが弾力的に載置物品の底面に密着することでその滑りが抑制され、これにより、地震等の衝撃により載置物品が位置ずれすること、落下することが防止される。とくに、上面部に載置物品の滑りを防止する複数の突条が並設されている構成とされることで大きな摩擦抵抗を生じ、これにより載置物品の滑りがより効果的に抑制される。
【０００６】  上面部の側縁と前記側面部の下縁とに沿って、前記枠材の縁部それぞれが篏合係止される係止溝部のそれぞれが設けられてなる構成とされることで、篏合係止により滑り止め具が安定して取り付けられる。これにより地震時等において載置物品側から大きな力がかかっても、装着部から滑り止め具が離脱することが防止される。
【０００７】  とくに、上面部と側面部との開き角度が９０度より小さくなっていることで、取付けの際、上面部と側面部とが開かれて装着されて装着後には弾力的に復元しようとするので、枠材の縁部それぞれの係止溝部への篏合係止が強固となって、より安定した状態に装着される。
【０００８】  上記滑り止め具は、天然ゴム、合成ゴム、または、それらの混合ゴムが成形されて得られ、その硬度は５５〜６５度、耐寒性は５０〜６０度で、耐水性に優れるものが好適に用いられる。
【考案の効果】
【０００９】  この考案の滑り止め具をラックの断面Ｌ字型の枠材に装着使用することで、地震発生時等においてラック上等からの物品の落下が最小限とできるようになる。この考案の滑り止め具はラック等に強固に安定して取り付けられ、載置される物品側から力がかかった際にも離脱することなく使用できる。
【図面の簡単な説明】
【００１０】
【図１】  この考案の載置物品の滑り止め具の実施形態の外観斜視図
【図２】  この考案の載置物品の滑り止め具の実施形態の側面図
【図３】  この考案の載置物品の滑り止め具の実施形態の使用説明図
【図４】  この考案の載置物品の滑り止め具の実施形態の使用説明図
【考案を実施するための形態】
【００１１】  図１はこの考案の載置物品の滑り止め具の外観斜視図、図２は同側面図である。滑り止め防止具１は全体がゴム製で、上面部２と上面部２の一方側縁から下方に連続一体に延び出す側面部３とからなる。上面部２の上面には一端側から他端側に沿って複数の凸条７が形成され、上面部２の側縁と側面部３の下縁とにはその内側に沿って係止溝部９、１１のそれぞれが設けられている。上面部２と側面部３との開き角度Ａは９０度より若干小さくされている。
【００１２】  図３は滑り止め具１の使用状態を示す。滑り止め具１は倉庫等で使用されるラック１２の棚部１４に傾斜配置される４本の枠材１６それぞれに装着使用されている。
【００１３】  図４に示すように、枠材１６それぞれは断面Ｌ字型であり、滑り止め具１は枠材１６の両端縁部１８、２０が係止溝部９、１１のそれぞれに篏合係止されて取り付けられている。その取付けの際、上記したように上面部２と側面部３との開き角度Ａが９０度より若干小さいので、上面部２と側面部３とが少し開かれることで９０度に折れ曲がる断面Ｌ字型の枠材１６に装着され、装着後に弾力的に復元しようとする。これにより両端縁部１８、２０の係止溝部９、１１への篏合係止が強固となって、安定した状態に装着される。
【００１４】  上記のように４個の滑り止め具１それぞれが配置された状態においてラック１２の棚部１４上にパレットが載置されると、滑り止め具１それぞれが弾力的にパレットの底面に密着することでその滑りが抑制され、地震等の衝撃によりパレットが位置ずれすることが防止される。とくに、滑り止め具１の上面部２の上面に長手方向に沿って複数の凸条７が形成されていて大きな摩擦抵抗を生じ、凸条７と交差する方向への滑りがより効果的に抑制される。その結果、パレット、パレット上の物品がラック１２から落下することが防止される。また、その際滑り止め具１にはパレット側から相当の力がかかるが、上記のように強固に安定して取り付けられていることで枠材１６から離脱することが防止される。
【符号の説明】
【００１５】  １    滑り止め具
２    上面部
３    側面部
７    凸条
９    係止溝部
１１  係止溝部
１２  ラック
１６  枠材
１８  端縁部
２０  端縁部
【図１】
0003224125.tif 000003
【図２】
0003224125.tif 000004
【図３】
0003224125.tif 000005
【図４】
0003224125.tif 000006